(57)【要約】【課題】メモリ等の画像情報記憶部に記憶した４：２：０フォーマットの画像情報を表示装置で表示すべく画像情報記憶部から表示装置に画像情報を転送する際に、画像情報記憶部から転送したにもかかわらず使用されずに除去される余剰情報の発生を防止する画像情報転送装置及び画像情報転送方法を提供する。【解決手段】記憶手段に記憶した４：２：０フォーマットの輝度情報と、第１色差情報と、第２色差情報とを転送制御手段によって画像信号生成手段に転送する場合において、転送制御手段は、第１のラインを構成する輝度情報と、第１色差情報と、第２色差情報と、第２のラインを構成する輝度情報とを１転送単位として画像信号生成手段に転送する。【選択図】　　図２
2004104614.tif 000002
【特許請求の範囲】
【請求項１】
輝度情報と、第１色差情報と、第２色差情報とからなる画像情報を記憶する記憶手段と、
同記憶手段に記憶した所要の輝度情報、第１色差情報、第２色差情報の転送を制御する転送制御手段と、
同転送制御手段によって転送された輝度情報、第１色差情報、第２色差情報に基づいて画像信号を生成する画像信号生成手段とを具備する画像情報転送装置において、
記憶手段に記憶した４：２：０フォーマットの輝度情報と、第１色差情報と、第２色差情報とを転送制御手段によって転送する場合には、転送制御手段は、第１のラインを構成する輝度情報と、第１色差情報と、第２色差情報と、第２のラインを構成する輝度情報とを１転送単位として画像信号生成手段に転送すべく構成したことを特徴とする画像情報転送装置。
【請求項２】
４：２：０フォーマットの画像情報の転送方法において、
第１のラインを構成する輝度情報と、第１色差情報と、第２色差情報と、第２のラインを構成する輝度情報とを１転送単位として転送することを特徴とする画像情報転送方法。
【発明の詳細な説明】
【０００１】
【発明の属する技術分野】
本発明は、メモリ等の記憶装置に記憶した画像情報を表示装置に表示させるために、記憶装置から表示装置に画像情報を転送するために用いる画像情報転送装置及び画像情報転送方法に関するものである。
【０００２】
【従来の技術】
従来、膨大な情報量からなる画像信号、特に動画像信号は、そのままでは蓄積に難があるために適宜の符号化を行なってデジタル情報からなる画像情報を生成し、画像情報として蓄積を行なうとともに、さらには伝送を可能としている。
【０００３】
かかる符号化においては単に符号化するだけでなく、生成した画像情報の情報量を削減するために、画像情報から画像信号を再現した場合の画質劣化が目立たない程度に画像情報を削減する圧縮技術が用いられており、かかる圧縮技術の一つとしてＭＰＥＧ（Ｍｏｖｉｎｇ　Ｐｉｃｔｕｒｅ　Ｅｘｐｅｒｔｓ　Ｇｒｏｕｐ）方式が知られている。
【０００４】
かかるＭＰＥＧ方式においては、画像を表示する表示画面において横方向のライン（走査線）に沿って走査する画像信号となる３つの信号、すなわち、輝度信号と２つの色差信号をそれぞれ所要の周波数を用いて符号化しており、使用する周波数によって４：４：４フォーマット、または４：２：２フォーマット、若しくは４：２：０フォーマットの３種類のフォーマットを設定し、情報量の削減を行なっている。
【０００５】
４：４：４、４：２：２、４：２：０とは、各信号の符号化に用いる周波数の比を示したものであり、４：４：４フォーマットでは、輝度信号の符号化に１３．５ＭＨｚの周波数を用いるとともに、２つの色差信号の符号化にも１３．５ＭＨｚの周波数を用い、１３．５ＭＨｚの標準化周波数を４とすることにより４：４：４フォーマットと呼んでいるものである。
【０００６】
また、４：２：２フォーマットでは、輝度信号の符号化に１３．５ＭＨｚの周波数を用い、２つの色差信号の符号化には１３．５ＭＨｚの半分の周波数６．７５ＭＨｚを用いることにより４：２：２フォーマットと呼んでいるものである。
【０００７】
また、４：２：０フォーマットでは、輝度信号の符号化に１３．５ＭＨｚの周波数を用い、２つの色差信号の符号化には６．７５ＭＨｚの周波数を用いたものであるが、特に４：２：０フォーマットでは、２つの色差信号のうち第１の色差信号を６．７５ＭＨｚで標準化し、第２の色差信号を標準化しないラインと、第１の色差信号を標準化しないで、第２の色差信号を６．７５ＭＨｚで標準化したラインとを交互に繰り返すものであり、４：２：０のラインと４：０：２のラインとを繰り返している状態を一般的に４：２：０フォーマットと呼んでいるものである。
【０００８】
４：２：２フォーマット及び４：２：０フォーマットは、人間が色に対しては敏感でないことを利用して輝度情報に対して色情報を削減したフォーマットであり、４：４：４フォーマットに対して横方向において色情報を半減させたものが４：２：２フォーマットであり、横方向だけでなく縦方向においても色情報を半減させたものが４：２：０フォーマットであり、情報量を大きく削減可能となっている。
【０００９】
かかる４：２：０フォーマットの画像情報を表示装置に表示させる場合には、以下に説明する処理を行なっている。
【００１０】
まず、所要の画像情報を表示する表示装置には、ディスプレイ等の表示装置だけでなく同表示装置によって表示する画像情報を表示装置に入力するための画像情報転送装置を接続しており、同画像情報転送装置には、表示装置に表示する画像情報を記憶したメモリ等の画像情報記憶部と、同画像情報記憶部から所要の画像情報を構成する輝度情報Ｙ、第１色差情報Ｃｂ、第２色差情報Ｃｒを表示装置に転送するための転送制御を行なう転送制御部と、同転送制御部によって転送された輝度情報Ｙ、第１色差情報Ｃｂ、第２色差情報Ｃｒを入力して画像信号を生成する画像信号生成部を設けており、画像情報記憶部、転送制御部、画像信号生成部はそれぞれバスを介して接続している。
【００１１】
転送制御部は、転送する輝度情報Ｙ、第１色差情報Ｃｂ、第２色差情報Ｃｒの記憶場所の情報であるアドレス情報を画像情報記憶部に入力し、同画像情報記憶部から所要の輝度情報Ｙ、第１色差情報Ｃｂ、第２色差情報Ｃｒを出力させるべく構成している。
【００１２】
画像信号生成部は、転送制御部による制御に基づいて画像情報記憶部からバスを介して入力された輝度情報Ｙ、第１色差情報Ｃｂ、第２色差情報Ｃｒより画像生成信号を生成し、同画像生成信号を表示装置に入力して画像を表示すべく構成している。
【００１３】
以下において、画像情報転送装置による画像情報転送方法を説明するに際し、表示装置はＱＣＩＦ（Ｑｕａｒｔｅｒ　Ｃｏｍｍｏｎ　Ｉｎｔｅｒｍｅｄｉａｔｅ　Ｆｏｒｍａｔ）のＬＣＤ（ＬｉｑｕｉｄＣｒｙｓｔａｌ　Ｄｉｓｐｌａｙ）とし、１ラインの画素数を１７６として説明する。
【００１４】
また、輝度情報Ｙ、第１色差情報Ｃｂ、第２色差情報Ｃｒはそれぞれ８ビット単位で構成するとともに、輝度情報Ｙ、第１色差情報Ｃｂ、第２色差情報Ｃｒの転送に使用するバスの幅を１２８ビットとする。この場合、一度に１６個の情報を転送することができる。
【００１５】
画像情報記憶部に記憶した４：２：０フォーマットの画像情報を画像信号生成部に転送する場合には、転送制御部は、輝度情報Ｙと、第１色差情報Ｃｂと、第２色差情報Ｃｒとを２：１：１の割合で転送している。
【００１６】
このとき、１ライン分の転送情報数
１７６＋８８＋８８＝３５２
に対して１回の転送単位において転送可能な情報数は、
１６×２＋１６＋１６＝６４
であるため、１ライン分の画像情報を転送するには６回の転送処理が実行される。
【００１７】
このとき、転送制御部は、輝度情報Ｙと、第１色差情報Ｃｂと、第２色差情報Ｃｒとを２：１：１の割合で転送すべく、図３（ａ）に示すように、第１のラインを構成する２つの輝度情報Ｙと、１つの第１色差情報Ｃｂと、１つの第２色差情報Ｃｒとを１転送単位として転送しており、１回目の転送処理時には、２つの輝度情報Ｙ００，Ｙ０１と、１つの第１色差情報Ｃｂ００と、１つの第２色差情報Ｃｒ００とを１転送単位として転送し、転送後、転送制御部はアドレス情報のインクリメントを行なうことにより、次に転送する輝度情報Ｙ、第１色差情報Ｃｂ、及び第２色差情報Ｃｒのアドレスを指定して転送処理を逐次実行すべく構成している。
【００１８】
このようにして５回の転送処理を行なった後の６回目の転送処理時には、６回目の転送処理を行なうべく転送制御部によって指定したアドレス情報により、２つの輝度情報Ｙ０Ａ，Ｙ１０と、１つの第１色差情報Ｃｂ０５と、１つの第２色差情報Ｃｒ０５とを１転送単位として転送し、第１のラインを構成する画像情報の転送を終了する。
【００１９】
第１のラインにおける画像情報の転送終了後、転送制御部は、次のラインである第２のラインにおける１ライン分の画像情報を転送すべく、転送する輝度情報Ｙ、第１色差情報Ｃｂ、及び第２色差情報Ｃｒを指定するアドレス情報を調整する。
【００２０】
上記したように、画像情報は４：２：０フォーマットであるために、図３（ｂ）に示すように、第２のラインを構成する輝度情報Ｙと、第１色差情報Ｃｂと、第２色差情報Ｃｒのうち、第１色差情報Ｃｂと第２色差情報Ｃｒは第１のラインにおいて転送した第１色差情報Ｃｂと第２色差情報Ｃｒと同一情報を転送するので、第２のラインにおける１回目の転送処理時には、２つの輝度情報Ｙ１０，Ｙ１１と、１つの第１色差情報Ｃｂ００と、１つの第２色差情報Ｃｒ００とを１転送単位として転送する。そして、転送制御部はアドレス情報のインクリメントを行なうことにより、次に転送する輝度情報Ｙ、第１色差情報Ｃｂ、及び第２色差情報Ｃｒのアドレスを指定して転送処理を逐次実行すべく構成している。
【００２１】
従って、第１のラインにおける６回目の転送処理において転送した輝度情報Ｙ１０は、第２のラインにおける１回目の転送処理において再度転送することとなり、同一の輝度情報Ｙ１０を２回転送することとなっている。
【００２２】
しかも、転送された画像情報に基づいて画像信号生成部が画像信号を生成する場合、第１のラインにける６回目の転送処理において転送した輝度情報Ｙ１０は、画像信号の生成において使用しない余分な情報となっており、画像信号の生成において必要のない情報の転送が行われていることとなっている。ここで、画像信号の生成において必要でない余分な情報を、余剰情報ｒと呼ぶことにする。
【００２３】
画像信号生成部では余剰情報ｒの切り捨て処理を行ない、転送された１ライン分の画像情報を用いて画像信号を生成し、表示装置に入力することにより、表示装置において所要の画像を表示可能としている。
【００２４】
【発明が解決しようとする課題】
しかしながら、４：２：０フォーマットの画像情報を、上記したように転送した場合には１ライン分の画像情報の終端部分に余剰情報が生じるために、同余剰情報に対して切り捨て処理等の処理を行なうための処理回路や、同処理回路での処理タイミングを管理するタイミング管理回路を設ける必要があることによって製造コストの低減化を阻害するだけでなく、余分な回路を設けることによって消費電力の低減化を阻害するとともに、余分な回路の配設領域を確保することによって装置全体の小型化を阻害するという問題があった。
【００２５】
また、上記した転送制御部においては、第１のラインにおける６回目の画像情報の転送処理後に、第２のラインにおける１回目の画像情報の転送処理を行なうための制御条件処理が複雑となるために、複雑な制御を可能とする転送制御部が必要となり、これによっても製造コストの低減化を阻害するという問題があった。
【００２６】
【課題を解決するための手段】
上記の問題を解決すべく、本発明の画像情報転送装置では、輝度情報と、第１色差情報と、第２色差情報とからなる画像情報を記憶する記憶手段と、同記憶手段に記憶した所要の輝度情報、第１色差情報、第２色差情報の転送を制御する転送制御手段と、同転送制御手段によって転送された輝度情報、第１色差情報、第２色差情報に基づいて画像信号を生成する画像信号生成手段とを具備する画像情報転送装置において、記憶手段に記憶した４：２：０フォーマットの輝度情報と、第１色差情報と、第２色差情報とを転送制御手段によって転送する場合には、転送制御手段は、第１のラインを構成する輝度情報と、第１色差情報と、第２色差情報と、第２のラインを構成する輝度情報とを１転送単位として画像信号生成手段に転送すべく構成した。
【００２７】
また、本発明の画像情報転送方法では、４：２：０フォーマットの画像情報の転送方法において、第１のラインを構成する輝度情報と、第１色差情報と、第２色差情報と、第２のラインを構成する輝度情報とを１転送単位として転送することとした。
【００２８】
【発明の実施の形態】
本発明の画像情報転送装置及び画像情報転送方法は、画像信号を生成する際に必要な輝度情報と、第１色差情報と、第２色差情報とを４：２：０フォーマットで記憶した記憶手段から、転送制御手段による制御に基づいて所要の輝度情報と、第１色差情報と、第２色差情報とを画像信号生成手段に転送させる場合に、第１のラインを構成する輝度情報と、第１色差情報と、第２色差情報と、第２のラインを構成する輝度情報とを１転送単位として転送制御手段が転送処理を行なうべく構成しているものである。
【００２９】
このようにしたことによって、記憶手段から画像信号生成手段に輝度情報、第１色差情報、第２色差情報を転送した際に、画像信号生成手段に転送したにもかかわらず切り捨てられて使用されない余剰情報が発生することを防止でき、転送効率を向上させることができる。
【００３０】
しかも、余剰情報を処理するための特別の各種処理回路を設ける必要がなく、かかる処理回路を設けないことによって画像情報転送装置を含めた表示装置を小型軽量とし、かつ、低消費電力とすることができ、さらには製造コストを低減させることができる。
【００３１】
以下において、図面に基づいて本発明の実施形態を説明する。以下においてはカメラ付き携帯電話の場合について説明するが、カメラ付き携帯電話に限定するものではなく、４：２：０フォーマットで記憶した画像情報を扱う装置であれば、いずれにでも適用可能である。
【００３２】
カメラ付き携帯電話は、図１に示すように、固体撮像素子１１により画像情報を生成する画像情報生成装置１と、画像情報生成装置１が生成した画像情報を記憶するとともに必要に応じて記憶した画像情報を転送する画像情報転送装置２と、同画像情報転送装置２から出力された画像情報に基づいて画像を表示する表示装置３を具備している。
【００３３】
画像情報生成装置１は、固体撮像素子１１と、同固体撮像素子１１を制御するとともに固体撮像素子１１で取得した画像情報の出力を制御するカメラモジュール１２とで構成している。特に、カメラモジュール１２は、固体撮像素子１１で取得した画像情報を、輝度情報Ｙ、第１色差情報Ｃｂ、第２色差情報Ｃｒからなる４：２：０フォーマットの画像情報として出力すべく構成している。
【００３４】
画像情報転送装置２は、画像情報生成装置１から入力された画像情報を記憶する画像情報記憶部２１と、同画像情報記憶部２１から所要の画像情報を構成する輝度情報Ｙと、第１色差情報Ｃｂと、第２色差情報Ｃｒとを表示装置３に転送するための転送制御を行なう転送制御部２２と、同転送制御部２２によって転送された輝度情報Ｙ、第１色差情報Ｃｂ、第２色差情報Ｃｒを入力して画像信号を生成する画像信号生成部２３とで構成している。
【００３５】
画像情報記憶部２１と、転送制御部２２と、画像信号生成部２３は、それぞれバス４を介して接続し、各種情報を出入力可能としており、画像情報生成装置１のカメラモジュール１２もバス４と接続し、バス４を介してカメラモジュール１２から画像情報記憶部２１に画像情報を入力可能としている。画像情報記憶部２１が記憶手段であり、転送制御部２２が転送制御手段であり、画像信号生成部２３が画像信号生成手段である。
【００３６】
画像情報記憶部２１は、メモリコントローラ２４と画像情報メモリ２５とで構成しており、メモリコントローラ２４によって画像情報メモリ２５への輝度情報Ｙと、第１色差情報Ｃｂと、第２色差情報Ｃｒとからなる画像情報の入力、及び、画像情報メモリ２５からの画像情報の出力を制御すべく構成している。カメラ付き携帯電話の場合には、画像情報メモリ２５にはＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）が用いられることがあり、この場合、メモリコントローラ２４にはＳＤＲＡＭコントローラを用いている。
【００３７】
転送制御部２２は中央演算装置（ＣＰＵ）２６を具備しており、登録した制御プラグラムに基づいて作動すべく構成している。中央演算装置２６は、画像情報記憶部２１から所要の画像情報を構成する輝度情報Ｙと、第１色差情報Ｃｂと、第２色差情報Ｃｒとを表示装置３に転送するための転送制御を行なうだけでなく、カメラモジュール１２から画像情報記憶部２１に画像情報を入力するための入力制御も行なうべく構成してもよいし、後述する画像信号生成部２３のＲＧＢ変換回路２７で生成してＲＧＢ画像情報メモリ２８に記憶したＲＧＢ形式の画像情報を読出してグラフィック処理を施すべく構成してもよい。また、転送制御部２２には、処理する内容に応じて複数の中央演算装置２６を設けてもよい。
【００３８】
転送制御部２２は、画像情報記憶部２１から所要の画像情報を表示装置３に、輝度情報Ｙと、第１色差情報Ｃｂと、第２色差情報Ｃｒとを２：１：１の割合で転送すべく、画像情報記憶部２１の所要の輝度情報Ｙ、第１色差情報Ｃｂ、第２色差情報Ｃｒを格納したアドレスを指定すべく構成している。
【００３９】
画像信号生成部２３は、上記したようにＲＧＢ変換回路２７と、ＲＧＢ画像情報メモリ２８とを具備している。
【００４０】
ＲＧＢ変換回路２７は、転送制御部２２の制御に基づいて画像情報記憶部２１から入力された輝度情報Ｙと、第１色差情報Ｃｂと、第２色差情報Ｃｒとに基づいて、赤成分情報Ｒと、緑成分情報Ｇと、青成分情報Ｂを生成し、ＲＧＢ画像情報メモリ２８に記憶すべく構成している。ＲＧＢ画像情報メモリ２８にはフレームメモリを用いている。
【００４１】
ＲＧＢ画像情報メモリ２８は、赤成分情報Ｒと、緑成分情報Ｇと、青成分情報Ｂとを、表示装置３に入力することにより、同表示装置３で所要の画像を表示すべく構成している。
【００４２】
本実施の形態において、表示装置３にはＱＣＩＦのＬＣＤ３１を用いている。なお、表示装置３はＱＣＩＦのＬＣＤ３１に限定するものではなく、適宜の表示装置３を用いてよい。
【００４３】
以下において、画像情報転送装置２による画像情報転送方法を説明する。上記したように、表示装置３は、１ラインの画素数が１７６のＬＣＤであり、画像情報メモリ２５に記憶した輝度情報Ｙ、第１色差情報Ｃｂ、第２色差情報Ｃｒはそれぞれ８ビット単位で構成しているものとする。また、バス４の幅は１２８ビットとする。
【００４４】
画像情報メモリ２５に記憶した４：２：０フォーマットの画像情報を画像信号生成部２３に転送する場合には、転送制御部２２は、輝度情報Ｙと、第１色差情報Ｃｂと、第２色差情報Ｃｒとを２：１：１の割合で転送している。
【００４５】
特に、転送制御部２２は、輝度情報Ｙと、第１色差情報Ｃｂと、第２色差情報Ｃｒとを２：１：１の割合で転送する際に、図２に示すように、第１のラインを構成する輝度情報Ｙと、第１色差情報Ｃｂと、第２色差情報Ｃｒと、第２のラインを構成する輝度情報Ｙとを１転送単位として転送すべく構成している。
【００４６】
すなわち、１回目の転送処理時には、二重線で囲んだ第１のラインの輝度情報Ｙ００と、第１色差情報Ｃｂ００と、第２色差情報Ｃｒ００と、第２のラインの輝度情報Ｙ１０とを１転送単位として転送すべく、転送制御部２２は輝度情報Ｙ、第１色差情報Ｃｂ、第２色差情報Ｃｒのアドレスを指定すべく構成している。各転送の後に、転送制御部２２は輝度情報Ｙのアドレス情報のみのインクリメントを行なっている。
【００４７】
次いで、２回目の転送処理時には、転送制御部２２のインクリメントされたアドレス情報に基づいて、太線で囲んだ第１のラインの輝度情報Ｙ０１と、第１色差情報Ｃｂ００と、第２色差情報Ｃｒ００と、第２のラインの輝度情報Ｙ１１とを１転送単位として転送すべく構成している。各転送の後に、転送制御部２２は輝度情報Ｙのアドレス情報と、第１色差情報Ｃｂのアドレス情報と、第２色差情報Ｃｒのアドレス情報のそれぞれのインクリメントを行なっている。
【００４８】
すなわち、転送制御部２２は、輝度情報Ｙに対しては第１のラインの輝度情報Ｙと第２のラインの輝度情報Ｙとをインクリメントさせるとともに、第１色差情報Ｃｂ及び第２色差情報Ｃｒのアドレス情報に対しては、インクリメントと保持とを繰り返しながらインクリメントを行なっている。
【００４９】
このように、第１のラインを構成する輝度情報Ｙと、１つの第１色差情報Ｃｂと、１つの第２色差情報Ｃｒと、第２のラインを構成する輝度情報Ｙとを１転送単位として転送することにより、図２に示すように、１１回目の転送処理によって余剰情報を発生させることなく第１ラインの終端の情報、及び第２ラインの終端の情報までを転送することができ、転送効率を向上させることができるとともに、余剰情報の処理を不要とすることができる。
【００５０】
しかもこの場合、余剰情報を処理するための特別の各種処理回路を設ける必要がなく、かかる処理回路を設けないことによって画像情報転送装置を含めた表示装置を小型軽量とし、かつ、低消費電力とすることができ、さらには製造コストを低減させることができる。
【００５１】
また、１１回目の転送処理後の１２回目の転送処理では、転送制御部２２におけるアドレス制御において複雑な制御を行なうことなく第３のラインの先頭の輝度情報Ｙ２０と、第１色差情報Ｃｂ２０と、第２色差情報Ｃｒ２０と、第４のラインの先頭の輝度情報Ｙ３０とを指定するアドレスを指定して転送を行なうことができ、転送制御部２２が複雑化することを防止できる。
【００５２】
特に、第１のライン及び第２のラインの画像情報を転送した終端部分に余剰情報が存在しないことによって、第１のライン及び第２のラインの画像情報の転送に引き続いて、連続的に第３のライン及び第４のラインの画像情報の転送を開始することができ、転送効率を向上させることができる。
【００５３】
また、表示装置３の１ラインの画素数をＭとし、輝度情報Ｙ、第１色差情報Ｃｂ、第２色差情報ＣｒをそれぞれＳビット単位で構成し、バス４の幅をＮビットとし、Ｎ／Ｓが正数で、ＭがＮ／Ｓの倍数である場合には、上記の特徴を有するだけでなく、第１のラインを構成する輝度情報Ｙと、第１色差情報Ｃｂと、第２色差情報Ｃｒと、第２のラインを構成する輝度情報Ｙとを１転送単位として、輝度情報Ｙと、第１色差情報Ｃｂと、第２色差情報Ｃｒとを２：１：１の割合で転送することにより、Ｎ／Ｓが正数で、ＭがＮ／Ｓの倍数という条件を満たしながらバス４の幅を変更しても、転送制御部２２におけるアドレス制御のプログラム的な変更で対応することができ、バス４の幅の変更にともなう処理回路の追加を行なうことなくバス４の幅を変更できる。
【００５４】
【発明の効果】
請求項１記載の発明によれば、記憶手段に記憶した４：２：０フォーマットの輝度情報と、第１色差情報と、第２色差情報とを転送制御手段によって転送する場合には、転送制御手段は、第１のラインを構成する輝度情報と、第１色差情報と、第２色差情報と、第２のラインを構成する輝度情報とを１転送単位として画像信号生成手段に転送すべく構成したことによって、各ラインの終端に余剰情報が生じことを防止でき、余剰情報の処理を不要として転送効率を向上させることができる。特に、余剰情報を処理するための特別の処理回路を設ける必要がなく、かかる処理回路を設けないことによって画像情報転送装置を含めた表示装置を小型軽量とし、かつ、低消費電力とすることができ、さらには製造コストを低減させることができる。しかも、転送制御手段における制御を簡潔化することができ、転送制御手段を簡潔に構成することができる。特に、バスの幅の変更時には、転送制御手段における制御を変更することで対応することができる。
【００５５】
請求項２記載の発明によれば、４：２：０フォーマットの画像情報の転送方法において、第１のラインを構成する輝度情報と、第１色差情報と、第２色差情報と、第２のラインを構成する輝度情報とを１転送単位として転送することによって、請求項１記載の発明と同様に、各ラインの終端に余剰情報が生じことを防止でき、余剰情報の処理を不要として転送効率を向上させることができるとともに、余剰情報を処理するための特別の処理回路を設ける必要がなく、かかる処理回路を設けないことによって小型軽量であって、低消費電力であり、かつ、製造コストを低減させた画像情報転送装置を提供できる。しかも、転送制御の構成を簡潔化することができ、製造コストをさらに低減させることができる。
【図面の簡単な説明】
【図１】本発明の実施形態を説明する構成説明図である。
【図２】本発明の画像情報の転送形態の説明図である。
【図３】従来の画像情報の転送形態の説明図である。
【符号の説明】
１　画像情報生成装置
１１　固体撮像素子
１２　カメラモジュール
２　画像情報転送装置
２１　画像情報記憶部
２２　転送制御部
２３　画像信号生成部
２４　メモリコントローラ
２５　画像情報メモリ
２６　中央演算装置
２７　ＲＧＢ変換回路
２８　ＲＧＢ画像情報メモリ
３　表示装置
３１　ＬＣＤ
４　バス
【図１】
2004104614.tif 000003
【図２】
2004104614.tif 000004
【図３】
2004104614.tif 000005